(57)【要約】  スタイラス・ペンやマウスのようなポインティング入力手段を使用して文字を入力する方法およびその装置が開示される。本発明による入力方法は、ポインティング入力手段を使用して文字を入力する方法において、（a）前記ポインティング入力手段の入力エリアを複数個の入力エリアに区分し、現在設定された文字モードによって、前記それぞれのエリアに前記文字モードの文字セットを構成する文字を複数個ずつ分けて割り当てて提供するステップ;（b）前記複数個の入力エリアのうち、いずれか一つのエリアを選択されて、このエリアを通じて、前記ポインティング入力手段の入力を受けるステップ;および（c）前記ポインティング入力手段の入力が点であるか、所定の長さ以上の線であるか、それぞれ所定の長さ以上で、互いに所定の角度以上折り曲げられて区別される所定回数の線の連結であるか、または全体的に丸い形態の円模様であるかどうかによって、前記選択されたエリアに複数個の割り当てられた文字を区分し、当該文字を出力するステップを含むことを特徴とする。これによって、より簡便な方法でポインティング入力手段を使用して希望する文字を入力することができる。
2008527528.tif 000002
【特許請求の範囲】
【請求項１】
ポインティング入力手段を使用して文字を入力する方法において、
（a）前記ポインティング入力手段の入力エリアを複数個の入力エリアに区分し、現在設定された文字モードによって、前記それぞれのエリアに前記文字モードの文字セットを構成する文字を複数個ずつ分けて割り当てて提供するステップ;
（b）前記複数個の入力エリアのうち、いずれか一つのエリアを選択され、このエリアを通じて、前記ポインティング入力手段の入力を受けるステップ;および
（c）前記ポインティング入力手段の入力が点であるか、所定の長さ以上の線であるか、それぞれ所定の長さ以上であり、互いに所定の角度以上折り曲げられて区別される所定回数の線の連結であるか、または全体的に丸い形態の円模様であるかどうかによって、前記選択されたエリアに複数個の割り当てられた文字を区分し、当該文字を出力するステップ
を含むことを特徴とする入力方法。
【請求項２】
前記（a）ステップは、
前記ポインティング入力手段の入力エリアを４x３配列の複数個の入力エリアに区分し、現在設定された文字モードによって前記それぞれのエリアに前記文字モードの文字セットを構成する文字を複数個ずつ分けて割り当てて提供するステップであることを特徴とする請求項１に記載の入力方法。
【請求項３】
前記（c）ステップは、
前記ポインティング入力手段の入力が点の場合には、前記選択された入力エリアに割り当てられた複数個の文字のうち、第１文字が選択され、所定の長さ以上の線の場合には、第２文字が選択され、それぞれ所定の長さ以上であり、互いに所定の角度以上折り曲げられて区別される一回以上の線の連結の場合には、第３文字が選択され、全体的に丸い形態の円模様の場合には、前記選択されたエリア別に一つずつあらかじめ指定された文字を選択して出力したり、あらかじめ設定された一つの命令を遂行することを特徴とする請求項１に記載の入力方法。
【請求項４】
前記（c）ステップで前記ポインティング入力手段の入力が点であるか、所定の長さ以上の線であるか、それぞれ所定の長さ以上であり、互いに所定の角度以上折り曲げられて区別される線の連結であるか、または全体的に丸い形態の円模様であるかを判断するにあたって、当該入力エリアを基準にして外部から内部に進行される入力線および、内部から外部に進行される入力線は、入力と判断しないことを特徴とする請求項１に記載の入力方法。
【請求項５】
前記（b）ステップは、
前記複数個の入力エリアのうち、いずれか一つのエリアを選択され、このエリアを通じて、前記ポインティング入力手段の入力を受けるが、それぞれの入力エリアのサイズを所定のサイズほど、拡張した拡張入力エリアを備えて、この拡張入力エリア内での入力を当該入力エリアでの入力と受け入れることを特徴とする請求項１ないし４のいずれか一つに記載の入力方法。
【請求項６】
前記（b）ステップは、
前記複数個の入力エリアのうち、いずれか一つのエリアを選択されて、このエリアを通じて、前記ポインティング入力手段の入力を受けるが、入力が開始された位置が前記入力エリア内に存在さえすれば、続けて連結されて入力される中には、前記入力エリアから逸脱しても、前記入力エリアでの入力のみで受け入れ、前記入力が切れるようになれば、前記入力エリアでの前記入力が完了されることを特徴とする請求項１ないし３のいずれか一つに記載の入力方法。
【請求項７】
ポインティング入力手段を使用して文字を入力する装置において、
前記ポインティング入力手段の入力エリアを複数個の入力エリアに区分し、現在設定された文字モードによって前記それぞれのエリアに前記文字モードの文字セットを構成する文字を複数個ずつ分けて割り当てて提供し、前記複数個の入力エリアのうち、いずれか一つのエリアを選択されて、このエリアを通じて、前記ポインティング入力手段の入力を受ける入力部;および
前記ポインティング入力手段の入力が点であるか、所定の長さ以上の線であるか、それぞれ所定の長さ以上であり、互いに所定の角度以上折り曲げられて区別される所定回数の線の連結であるか、または全体的に丸い形態の円模様であるかどうかによって、前記選択されたエリアに複数個の割り当てられた文字を区分し、当該文字を出力するように処理する処理部を含む
ことを特徴とする入力装置。
【請求項８】
前記入力部は、
前記ポインティング入力手段の入力エリアを４x３配列の複数個の入力エリアに区分し、現在設定された文字モードによって、前記それぞれのエリアに前記文字モードの文字セットを構成する文字を、複数個ずつ分けて割り当てて提供することを特徴とする請求項７に記載の入力装置。
【請求項９】
前記処理部は、
前記ポインティング入力手段の入力が点の場合には、前記選択された入力エリアに割り当てられた複数個の文字のうち、第１文字が選択され、所定の長さ以上の線の場合には第２文字が選択され、それぞれ所定の長さ以上であり、互いに所定の角度以上折り曲げられて区別される一回以上の線の連結の場合には第３文字が選択され、全体的に丸い形態の円模様の場合には、前記選択されたエリア別に一つずつあらかじめ指定された文字を選択して出力したり、あらかじめ設定された一つの命令を遂行することを特徴とする請求項７に記載の入力装置。
【請求項１０】
前記処理部で前記ポインティング入力手段の入力が点であるか、所定の長さ以上の線であるか、それぞれ所定の長さ以上であり、互いに所定の角度以上折り曲げられて区別される所定回数の線の連結であるか、または全体的に丸い形態の円模様であるかを判断するにあたって、当該入力エリアを基準にして外部から内部に進行される入力線および、内部から外部に進行される入力線は、入力と判断しないことを特徴とする請求項７に記載の入力装置。
【請求項１１】
前記入力部は、
前記複数個の入力エリアのうち、いずれか一つのエリアを選択されて、このエリアを通じて、前記ポインティング入力手段の入力を受けるが、それぞれの入力エリアのサイズを所定のサイズほど、拡張した拡張入力エリアを備えて、この拡張入力エリア内での入力を当該入力エリアでの入力と受け入れることを特徴とする請求項７ないし１０のいずれか一つに記載の入力装置。
【請求項１２】
前記入力部は、
前記複数個の入力エリアのうち、いずれか一つのエリアを選択されて、このエリアを通じて、前記ポインティング入力手段の入力を受けるが、入力が開始された位置が前記入力エリア内に存在さえすれば、続けて連結されて入力される中には、前記入力エリアから逸脱しても、前記入力エリアでの入力のみで受け入れ、前記入力が切れるようになれば、前記入力エリアでの前記入力が完了されることを特徴とする請求項７ないし９のいずれか一つに記載の入力装置。
【請求項１３】
第１項ないし第６項のうち、いずれか一つに記載した方法をコンピューターで実行させるためのプログラムを記録したコンピューターで読み取ることができる記録媒体。
【発明の詳細な説明】
【技術分野】
【０００１】
本発明は、文字入力に関するものであり、より詳細には、スタイラス・ペンやマウスのようなポインティング入力手段を使用して文字を入力する方法およびその装置に関するものである。
【背景技術】
【０００２】
このようなポインティング入力手段を使用して文字を入力する従来の方法では、個人携帯端末（ＰＤＡ）のように、タッチスクリーン画面入力部に仮想のキーボードをユーザーにディスプレイして提供し、ユーザーはスタイラス・ペンを使用して仮想キーボードの当該キーを押すことによって、希望する文字を入力する方法や、スタイラス・ペンでユーザーが画面入力部に書いた筆記字を認識して文字を入力される方法などがある。
【０００３】
しかし、このような方法は、希望する文字を入力するにあたって困難がある。例えば、仮想キーボードによる入力の場合、キーの個数が多くてサイズも小さく、迅速にかつ正確に押すことが困難であり、筆記体認識の場合、入力が遅くて不正確に認識される場合がたびたびあるので、使用が困難である。
【発明の開示】
【発明が解決しようとする課題】
【０００４】
本発明が解決するための技術的課題は、文字入力のための選択エリアの数を減らすことによって、当該入力エリアを迅速に正確に選択できるようにして、それぞれの選択エリアに複数個の割り当てられた文字を容易に区分し、希望する文字入力を容易にするポインティング入力手段を利用した文字入力方法およびその装置を提供するものである。
【課題を解決するための手段】
【０００５】
前記技術的課題は、本発明によって、ポインティング入力手段を使用して文字を入力する方法において、（a）前記ポインティング入力手段の入力エリアを複数個の入力エリアに区分し、現在設定された文字モードによって前記それぞれのエリアに、前記文字モードの文字セットを構成する文字を複数個ずつ分けて割り当てて提供するステップ;（b）前記複数個の入力エリアのうち、いずれか一つのエリアを選択されて、このエリアを通じて、前記ポインティング入力手段の入力を受けるステップ;および（c）前記ポインティング入力手段の入力が点であるか、所定の長さ以上の線であるか、それぞれ所定の長さ以上で、互いに所定の角度以上折り曲げられて区別される所定回数の線の連結であるか、または全体的に丸い形態の円模様であるかどうかによって、前記選択されたエリアに複数個の割り当てられた文字を区分し、当該文字を出力するステップを含むことを特徴とする入力方法によって達成される。
【０００６】
前記（c）ステップは、前記ポインティング入力手段の入力が点の場合には、前記選択された入力エリアに割り当てられた複数個の文字のうち、第１文字が選択され、所定の長さ以上の線の場合には、第２文字が選択され、それぞれ所定の長さ以上であり、互いに所定の角度以上折り曲げられて区別される一回以上の線の連結の場合には、第３文字が選択され、全体的に丸い形態の円模様の場合には、前記選択されたエリア別に一つずつ文脈に合うようにあらかじめ指定された文字を選択して出力するか、またはあらかじめ設定された一つの命令を行うことが好ましい。
【０００７】
また、前記（c）ステップで、前記ポインティング入力手段の入力が点であるか、所定の長さ以上の線であるか、それぞれ所定の長さ以上であり、互いに所定の角度以上折り曲げられて区別される所定回数の線の連結であるか、または全体的に丸い形態の円模様であるかを判断するにあたって、当該入力エリアを基準にして外部から内部に進行される入力線および、内部から外部に進行される入力線は入力と判断しないことが好ましい。
【０００８】
前記（b）ステップは、前記複数個の入力エリアのうち、いずれか一つのエリアを選択されて、このエリアを通じて、前記ポインティング入力手段の入力を受けるが、それぞれの入力エリアのサイズを所定のサイズほど拡張した拡張入力エリアを備えて、この拡張入力エリア内での入力を当該入力エリアでの入力と受け入れるのが好ましい。
【０００９】
一方、本発明の他の分野によれば、前記技術的課題はポインティング入力手段を使用して文字を入力する装置において、前記ポインティング入力手段の入力エリアを複数個の入力エリアに区分し、現在設定された文字モードによって、前記それぞれのエリアに、前記文字モードの文字セットを構成する文字を複数個ずつ分けて割り当てて提供し、前記複数個の入力エリアのうち、いずれか一つのエリアを選択されて、このエリアを通じて、前記ポインティング入力手段の入力を受ける入力部;および前記ポインティング入力手段の入力が点であるか、所定の長さ以上の線であるか、それぞれ所定の長さ以上であり、互いに所定の角度以上折り曲げられて区別される所定回数の線の連結であるか、または全体的に丸い形態の円模様であるかどうかによって、前記選択されたエリアに複数個の割り当てられた文字を区分し、当該文字を出力するように処理する処理部を含むことを特徴とする入力装置によっても達成される。
【発明の効果】
【００１０】
前述したように本発明によれば、ポインティング入力手段を具備した個人携帯端末のような装置で、簡単な操作のみで希望する文字をより簡便で迅速に入力することができ、ユーザーが容易に慣れることができる効果がある。
【発明を実施するための最良の形態】
【００１１】
以下添付された図面を参照して本発明の好ましい実施例に対して詳しく説明する。
【００１２】
図１は、スタイラス・ペン入力を使用するＰＤＡの一例を図示した図面である。
【００１３】
ＰＤＡ（P e r s o n a l  D i g i t a l  A s s i s t a n t）は、本体（１００）およびスタイラス・ペン（１１０）から構成される。本体（１００）は、タッチスクリーン機能をする同時にデータを示すディスプレイ部を具備していて、ユーザーはディスプレイ部を通じてディスプレイされるアイコンまたはメニューをスタイラス・ペン（１１０）を使用して選択することによって、希望する命令を入力するか、またはディスプレイ部に表れた仮想キーボード（１２０）のキーを押したり、筆記体入力を受けてこれを認識することができるペン入力エリア（１３０）に筆記体入力をすることによって、テキスト入力を行う。
【００１４】
図２aないし図２dは、本発明の一実施例によって４x３配列のキーパッドにマッピングされた数字、アルファベット、記号およびハングル配列を図示した図面である。
【００１５】
図２aないし図２dに図示したように、本発明でのポインティング入力手段を通じて入力しようとする文字セット（数字、アルファベット、記号、ハングルなど）は、４x３配列のキーパッドに配列されている。図２aの数字配列は、電話機の一般的な４x３キーパッド配列と同一であり、図２bないし図２dのアルファベット、記号、ハングル配列は、使用頻度や操作の効率性などを考慮して配置されている。
【００１６】
このように配置された４x３配列のキーパッドで、図１に図示したようなポインティング入力手段を通じて、一つのキーを選択して希望する文字を入力する。文字モードが変更されることによって４x３配列のキーパッドは図２aのように数字が対応するか、図２bのようにアルファベットが対応するか、図２cのように記号が対応するか、または図２dのようにハングルが対応することができ、その外のさなざまな言語を含んむ任意の文字セットの拡張も可能である。
【００１７】
また、文字入力のための４x３配列の入力エリア外にも文字モード変更や削除（バックスペース）、スペーシングなどの命令を入力するための別途の追加エリアがある可能性があり、入力の便宜のために、前記４x３エリアや前記追加エリア外の残りの入力エリア全体を一つのエリアと設定することができる。例えば、入力時、４x３エリア外のエリア全体を一つのエリアと設定して、そのエリアにスペーシング命令を割り当てることができる。したがって、入力途中にスペーシングをするためには、特別にスペーシングに割り当てられたキー（例えば、ボタン '０' かボタン '#'）が、現在の文字配列にあるとしても、これを入力する必要なしに前記４x３エリアの外にポインティング入力手段を移動すれば良い。
【００１８】
図３は、本発明のポインティング入力手段を通じて、一つの入力エリアに割り当てられた複数個の文字を区分するように入力する方法の一例を図示した図面である。
【００１９】
現在の文字モードによって、例えば、図２aないし図２dに図示した文字配列のうち、いずれか一つの配列がディスプレイ部を通じて提供されると、ユーザーはこれらの配列を構成するキーのうち、いずれか一つのキーを選択して、図３に図示したような入力方法のうち、いずれか一つの方法を使用して希望する文字を選択して入力する。
【００２０】
第１入力方法（３１０）は、当該キーに点をつけるようにタッチする方法で、第２入力方法（３２０）は一定長さ以上の線を引く方法である。そして第３入力方法（３３０）は二つの一定長さ以上の線を引くが、互いに一定角度以上を維持しながら連結された折り曲げた線を描く方法で、第４入力方法（３４０）は、全体的に丸い形態の円を描く方法である。第１入力方法（３１０）が使用されると、当該キーに割り当てられた複数個の文字のうち、一番目の文字が入力されたことを示し、第２入力方法（３２０）が使用されると、二番目の文字が入力されたことを示し、第３入力方法（３３０）が使用されると、三番目の文字が入力されたことを示し、第４入力方法（３４０）が使用されると、選択されたエリア別に文脈に合うように一つずつあらかじめ指定された文字を出力するか、あらかじめ設定された一つの命令を遂行する。
【００２１】
このとき、選択された入力エリア内での点の位置や線の位置および方向は関係なく、線の場合一定の長さ以上であればその長さにも関係ない。一定の長さは例えば、ピクセルを単位にする場合、たとえば、５ピクセル以上であれば、一つの線と認識することができる。また、入力時ペンを放すと、現在の入力が完了され、次の入力を受け入れるものと区分され、現在入力エリアに割り当てられた文字やあらかじめ設定された命令が一つしか無いか、または現在入力エリアの外に逸脱するように入力をするなど、現在入力が次の入力と区分することができるなら、ペンを放さず連続で描いても良い。このとき、現在選択された入力エリアを一定距離以内に逸脱する入力の場合には、前記エリアでの入力と解釈することが入力の便宜のために好ましい。
【００２２】
すなわち、例えば、入力を受け入れることができるディスプレイ部のエリアサイズが小さな場合、それぞれの入力エリアのサイズも小さいため、ユーザーがそのエリア内で上述した入力方法を使用して入力を行うのに困難があるので、それぞれの入力エリアに対して一定の範囲以内のエリアを拡張入力エリアと決定し、この拡張入力エリア内での入力も当該入力エリア内の入力と認識するようにする。拡張入力エリア内での入力に対しては図６ないし図７を参照して後述する。
【００２３】
前述したような入力方法によって文字を入力する例えば、図２bのような文字配列を有するアルファベット入力モードで、文字「e w q」が割り当てられたキーエリアに第１入力方法（３１０）を使用して点をつけると、アルファベット「e」が入力され、第２入力方法（３２０）を使用して線を引くと、「w」が入力され、第３入力方法（３３０）を使用して折り曲げた線を描くと、「q」が入力される。そして、第４入力方法（３４０）を使用して円を描くと、「１」が入力されるが、これらは数字入力の便宜のために前記エリアに一つの文字があらかじめ指定されたものである。
【００２４】
前述したような文字モード変更のためのエリアでは、入力方法によって当該文字モードに変更することができ、削除エリアでは入力方法によって字単位で、単語単位で、文章単位で削除するか、あるいは全体の字をいずれも削除するなどの命令を遂行することができる。例えば、文字モード変更のためのエリアでは、第１入力方法（３１０）は小文字モード、第２入力方法（３２０）は最初の字のみ大文字で入力されて、残りは小文字で入力される文章モード、第３入力方法（３３０）は大文字モード、第４入力方法（３４０）は数字モードに変更することによって設定することができ、削除エリアで第１入力方法（３１０）は一字ずつ、第２入力方法（３２０）は一単語ずつ、第３入力方法（３３０）は一文章ずつ削除して、第４入力方法（３４０）は、入力されたすべての文字を削除することにより設定することができる。
【００２５】
また、いずれかの文字モードでも記号入力の便宜のために * キーに該当するエリアで、第１入力方法（３１０）が入力されると、記号を一つ入力した後、本来の文字モードに復帰することができる。
【００２６】
そして、入力途中ペンをはなさない状態で一定時間以上、追加入力が無いい場合には、これを現在までの入力を次の入力と区分する意味に解釈することもできる。
【００２７】
図４は、図３の第３入力方法（３３０）の他の一実施例を図示した図面である。
【００２８】
図３の第３入力方法（３３０）は、折り曲げた回数が一回の場合および図４に図示したように折り曲げた回数が二回または三回やその以上の場合にも入力の便宜のために、第３入力方法（３３０）によって入力されたものと認識する。
【００２９】
図５は、本発明の他の一実施例による一つの入力エリアに割り当てられた複数個の文字を区分するように入力する方法の一例を図示した図面である。
【００３０】
図５を参照すれば、入力しようとする入力エリア内でのみポインティング入力手段を動かすほかにも、当該入力エリアを基準にして外部から内部に入って来るか、または内部から外部に出ることも可能であることが分かる。このような方法は文字を連続的に迅速に入力するために使われる。図５で点線は当該入力エリアを基準にして外部から内部に進行する入力線および、内部から外部に進行する入力線で、文字選択の解釈で考慮しないことを意味する。したがって、図５の第１入力方法（５１０）ないし第４入力方法（５４０）は、図３の第１入力方法（３１０）ないし第４入力方法（３４０）と同じである。
【００３１】
一方、図５の第５入力方法（５５０）は、当該入力エリアを通過する入力方法であり、当該入力エリアを通る入力線があっても、当該入力エリアで何らの文字選択がないのかも知れないことを示す。すなわち、本発明では入力の始める位置と終わる位置、そして一定角度以上折り曲げられる位置のみ認識し、これらの当該入力エリアでの相関関係を考慮して解釈するものである。このとき、現在選択された入力エリアを一定距離内に逸脱する入力も、前記エリアでの入力と解釈することが入力の便宜のために好ましい。
【００３２】
図６は、拡張エリアでの文字入力方法を説明するための図面である。
【００３３】
従来の一般的な入力方法では、それぞれの一般入力エリア（６１０）内での入力のみ当該入力エリアの入力と見たり、開始点が一般入力エリア（６１０）内に存在すれば、途中にそのエリアを逸脱するとしても、当該エリアでの入力と認識するが、本発明ではそれぞれの入力エリアに拡張入力エリア（６２０）を置いて、一般入力エリア（６１０）をある程度逸脱しても当該エリアの入力と認識する。拡張入力エリア（６２０）のサイズは、ディスプレイ部のサイズや当該入力エリアのサイズによって変わることができる。
【００３４】
例えば、ディスプレイ部のサイズが小さな場合には各エリアのサイズも小さいため、ユーザーの入力が一般入力エリア（６１０）を逸脱する可能性が高いので、拡張入力エリアを大きく備え、ディスプレイ部のサイズが大きな場合には、各入力エリアのサイズも大きいので、ユーザーの入力が一般入力エリア（６１０）を逸脱する可能性が低いので、拡張入力エリアを小さく備える。
【００３５】
図７aないし図７dは、図５および図６を参照して説明した入力方法によって入力した結果の一例を図示した図面である。
【００３６】
例えば、図７aに図示したようにユーザーが入力線を描くと、図７bに図示したように、最初の入力エリアの外部から内部に進入する線（７１１、点線で図示）は、入力と認識せず、入力線７１２（実線で図示）を入力と認識する。
【００３７】
ここで、もちろん最初の内部に進入する線（７１１）は、以前入力エリアの拡張入力エリアを逸脱してから、図７bに図示した入力エリアに進入したものと認識される。そして、また拡張入力エリア外部に進出する線（７１３、点線で図示）は、入力と認識せず、入力線７１４（実線で図示）を入力と認識する。そして、最後に拡張入力エリア外部に進出する線（７１５、点線で図示）は入力と認識しない。
【００３８】
したがって、認識結果は図７cに図示したように、拡張入力エリアを基準にして、それぞれの拡張入力エリアに第３入力方法および第２入力方法が使われたものと示されるが、これは一般入力エリアを基準にして図７dに図示したように解釈されるものである。
【００３９】
このような拡張入力エリアが導入されないなら、ユーザーは入力途中一般入力エリアの境界を少しでも越えることを気を付けなければならないので、一般入力エリアの境界付近エリアの活用度が低下するため、結局、入力エリア全体を十分に活用できず、入力に不便さ与えることができる。したがって、拡張入力エリアの導入はそれぞれの入力エリアの活用度を高めてくれる効果があって入力に便宜を提供する。
【００４０】
一方、入力エリアのサイズが非常に小さな場合には、その制限された入力エリア内で線や円をいずれも描きながら入力を完了することが非常に難しい。したがって、入力を始めて開始した位置がその入力エリア内に存在さえすれば、線や円を描く途中にその入力エリアを逸脱しても、当該入力での入力と認識するようにすることも可能である。これは前述したような拡張エリアを取り入れた入力方法と類似しているが、続けて連結されて入力される中には、前記入力エリアからいくら逸脱しても、前記入力エリアでの入力としてのみ認識され、前記入力が切れるようになると、前記入力エリアでの入力が完了されるという点で、やや相異なっている。
【００４１】
図８は、本発明の好ましい実施例による文字入力方法のフローチャートである。
【００４２】
ポインティング入力手段を利用して文字を入力するために、先ず、ポインティング入力手段の入力エリアを複数個の入力エリアに区分し、現在設定された文字モードによって前記それぞれのエリアに当該文字セットを構成する文字を複数個ずつ分けて割り当てて提供する（S８１０）。例えば、入力エリアを４x３配列の複数個のエリアに区分し、現在設定された文字モードによってそれぞれのエリアに図２aないし図２dのような文字セットを割り当てて提供する。
【００４３】
そして、前記複数の入力エリアのうち、いずれか一つのエリアを選択されて、このエリアを通じて、前記ポインティング入力手段の入力を受ける（S８２０）。例えば、図２aないし図２dのような文字セットの仮想キーボードが画面上に提供されると、入力を希望するキーが選択され、そのキーに割り当てられた複数個の文字のうち、いずれか一つを選択するために図３ないし図５を参照し、前述したような入力方法によっていずれか一つの文字を選択するペン入力を受ける。
【００４４】
次に、このようなポインティング入力手段の入力が点であるか、一定長さ以上の線であるか、それぞれ一定長さ以上であり、互いに一定角度以上折り曲げられて区別される一定回数の線の連結であるか、または全体的に丸い形態の円模様であるかどうかによって、前記選択されたエリアに複数個の割り当てられた文字を区分して当該文字を出力する（S８３０）。例えば、ポインティング入力手段の入力が点の場合には選択されたエリアに割り当てられた複数個の文字のうち、第１文字が選択され、一定長さ以上の線の場合には第２文字が選択され、それぞれ一定長さ以上であり、互いに一定角度以上折り曲げられて区別される一回以上の線の連結の場合には、第３文字が選択され、全体的に丸い形態の円模様の場合には、前記選択されたエリア別に文脈に合うように一つずつあらかじめ指定された文字を出力したり、あらかじめ設定された命令を遂行する。
【００４５】
図９は、本発明の好ましい実施例による文字入力装置のブロック図である。
【００４６】
文字入力装置は入力部（９１０）、処理部（９２０）、メモリー（９３０）を含む。入力部（９１０）は、ポインティング入力手段の入力を受けることができるタッチスクリーンなどのような形態を具備してポインティング入力手段の動きを入力される。例えば、入力エリアを４x３配列の複数個のエリアに区分し、現在設定された文字モードによってそれぞれのエリアに図２aないし図２dのような文字セットを割り当てて提供する。
【００４７】
処理部（９２０）はポインティング入力手段の入力が点であるか、一定長さ以上の線であるか、それぞれ一定長さ以上であり、互いに一定角度以上折り曲げられて区別される一定回数の線の連結であるか、または全体的に丸い形態の円模様であるかどうかによって、前記選択されたエリアに複数個の割り当てられた文字を区分して当該文字を出力する。例えば、ポインティング入力手段の入力が点の場合には選択されたエリアに割り当てられた複数個の文字のうち、第１文字が選択され、一定長さ以上の線の場合には第２文字が選択され、それぞれ一定長さ以上であり、互いに一定角度以上折り曲げられて区別される一回以上の線の連結の場合には第３文字が選択され、全体的に丸い形態の円模様の場合には、前記選択されたエリア別に文脈に合うように一つずつあらかじめ指定された文字を出力したり、あらかじめ設定された命令を遂行する。
【００４８】
メモリー（９３０）は、前述したような入力エリア別の文字セット配列およびポインティング入力手段の入力とのマッピング関係を記憶したり、現在の文字モードを記憶してあり得る。
【００４９】
一方、前述したような文字入力方法は、コンピュータープログラムで作成可能である。前記プログラムを構成するコードおよびコードセグメントは、当該分野のコンピュータプログラマーによって容易に推論することができる。 また、前記プログラムはコンピューターが読み取ることができる情報記憶媒体（  c  o  m  p  u  t  e  r     r  e  a  d  a  b  l  e     m  e  d  i  a  ）に記憶され、コンピューターによって読み取られて実行されることによって、文字入力方法を実現する。前記情報記憶媒体は磁気記録媒体、光記録媒体および、搬送波媒体を含む。
【００５０】
今まで本発明に対してその好ましい実施例を中心に説明して見た。本発明が属する技術分野で通常の知識を有する者であれば、本発明が本発明の本質的な特性から逸脱しない範囲で変形された形態として実現可能であることが理解することができる。したがって、開示された実施例は限定的な観点ではなく、説明的な観点で考慮しなければならない。本発明の範囲は前述したような説明ではなく特許請求範囲に示しており、それと同等の範囲内にあるすべての差異は、本発明に含まれたものと解釈されなければならない。
【産業上の利用可能性】
【００５１】
この発明は、スタイラス（stylus）や、マウス（mouse）のようなポインティングデバイスを介して文字を入力する方法及び装置に関連している分野に効果的に応用することができる。
【図面の簡単な説明】
【００５２】
【図１】スタイラス・ペン入力を使用するＰＤＡの一例を図示した図面である。
【図２】本発明の一実施例によって４x３配列のキーパッドにマッピングされた数字、アルファベット、記号およびハングル配列を図示した図面である。
【図３】本発明の一実施例によって４x３配列のキーパッドにマッピングされた数字、アルファベット、記号およびハングル配列を図示した図面である。
【図４】本発明の一実施例によって４x３配列のキーパッドにマッピングされた数字、アルファベット、記号およびハングル配列を図示した図面である。
【図５】本発明の一実施例によって４x３配列のキーパッドにマッピングされた数字、アルファベット、記号およびハングル配列を図示した図面である。
【図６】本発明のポインティング入力手段を通じて、一つの入力エリアに割り当てられた複数個の文字を区分するように入力する方法の一例を図示した図面である。
【図７】図６の第３入力方法の他の一実施例を図示した図面である。
【図８】本発明の他の一実施例による、一つの入力エリアに割り当てられた複数個の文字を区分するように入力する方法の一例を図示した図面である。
【図９】拡張エリアでの文字入力方法を説明するための図面である。
【図１０】図８および図９を参照して説明した入力方法によって入力した結果の一例を図示した図面である。
【図１１】図８および図９を参照して説明した入力方法によって入力した結果の一例を図示した図面である。
【図１２】図８および図９を参照して説明した入力方法によって入力した結果の一例を図示した図面である。
【図１３】図８および図９を参照して説明した入力方法によって入力した結果の一例を図示した図面である。
【図１４】本発明の好ましい実施例による文字入力方法のフローチャートである。
【図１５】本発明の好ましい実施例による文字入力装置のブロック図である。
【図１】
2008527528.tif 000003
【図２】
2008527528.tif 000004
【図３】
2008527528.tif 000005
【図４】
2008527528.tif 000006
【図５】
2008527528.tif 000007
【図６】
2008527528.tif 000008
【図７】
2008527528.tif 000009
【図８】
2008527528.tif 000010
【図９】
2008527528.tif 000011
【図１０】
2008527528.tif 000012
【図１１】
2008527528.tif 000013
【図１２】
2008527528.tif 000014
【図１３】
2008527528.tif 000015
【図１４】
2008527528.tif 000016
【図１５】
2008527528.tif 000017
【国際調査報告】
2008527528.tif 000018
2008527528.tif 000019